【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
ネットワーク要素が加入者のユーザ機器の最大ビットレート要求に応答するための方法であって、
要求された最大ビットレート属性値を受け取るステップ、
加入者の最大ビットレート限度が使用可能な最大ビットレート値のセットの中で最低値のメンバの値以上であるかどうかを判別するステップ、
提示された該最大ビットレートに関連付けて要求された通信サービスを提供することを提示するステップであって、該加入者の最大ビットレート限度が該使用可能最大ビットレート値のセットの中で最低値のメンバの値以上の場合に、該提示された最大ビットレート値が該使用可能最大ビットレート値のセットの許容サブセットのメンバの値と等しく、該許容サブセットは該最大ビットレート限度以下の値を持つ使用可能最大ビットレートのセットのメンバからなり、該提示された最大ビットレートは、該要求された最大ビットレート値および該最大ビットレート限度のうち低い方の値以上か、または該サブセットの中で最高の値を持つ許容サブセットのメンバの値と等しいステップ、及び
該加入者の最大ビットレート限度が該使用可能な最大ビットレート値のセットの中で最低値のメンバの値以上でない場合に、該要求された通信サービスを拒否するステップ
からなる方法。
【請求項２】
ネットワーク要素が加入者のユーザ機器の最大ビットレート要求に応答するための方法であって、
要求された最大ビットレート属性値を受け取るステップ、
ネットワーク要素のサポートする最大ビットレート値の最低値が該加入者に関連付けられている最大ビットレート限度以下であるかどうか、および該ネットワーク要素のサポートする最大ビットレート値の最低値が該加入者に関連付けられている最大ビットレート限度以下であるかどうかを判別するステップ、
該要求された最大ビットレート属性値および該最大ビットレート限度から一時作業値を判別するステップ、
該一時作業値がネットワーク要素のサポートする値であるか、ネットワーク要素のサポートするすべての値を上回るか、ネットワーク要素のサポートするすべての値を下回るか、それともネットワーク要素のサポートする２つの値の間であるかどうかを判別するステップ、及び
該一時作業値がネットワーク要素のサポートするすべての値を上回るか、ネットワーク要素のサポートするすべての値を下回るか、それともネットワーク要素のサポートする２つの値の間であるかどうかの前記判別に基づき該最大ビットレート要求に応答して値を提示するステップ
からなる方法。
【請求項３】
請求項２の方法において、前記一時作業値がネットワーク要素のサポートするすべての値を上回るか、ネットワーク要素のサポートするすべての値を下回るか、それともネットワーク要素のサポートする２つの値の間であるかどうかの判別に基づき最大ビットレート要求に応答して値を提示するステップが、
該一時作業値がネットワーク要素のサポートする次高の値と次低の値の間であり、該ネットワーク要素のサポートする次高の値が該最大ビットレート限度以下の場合、該ネットワーク要素のサポートする次高の値を提示するステップ、及び
該一時作業値がネットワーク要素のサポートする次高の値と次低の値の間であり、該ネットワーク要素のサポートする次高の値が該最大ビットレート限度よりも大きい場合、該ネットワーク要素のサポートする次低の値を提示するステップ
からなる方法。
【請求項４】
請求項２の方法において、前記一時作業値がネットワーク要素のサポートするすべての値を上回るか、ネットワーク要素のサポートするすべての値を下回るか、それともネットワーク要素のサポートする２つの値の間であるかどうかの判別に基づき最大ビットレート要求に応答して値を提示するステップが、
該一時作業値がネットワーク要素のサポートする次高の値と次低の値の間であり、該ネットワーク要素のサポートする次高の値が該最大ビットレート限度以下の場合、該ネットワーク要素のサポートする次高の値を提示するステップ
からなる方法。
【請求項５】
請求項２の方法において、前記一時作業値がネットワーク要素のサポートするすべての値を上回るか、ネットワーク要素のサポートするすべての値を下回るか、それともネットワーク要素のサポートする２つの値の間であるかどうかの判別に基づき最大ビットレート要求に応答して値を提示するステップが、
該一時作業値がネットワーク要素のサポートする次高の値と次低の値の間であり、該ネットワーク要素のサポートする次高の値が該最大ビットレート限度よりも大きい場合、該ネットワーク要素のサポートする次低の値を提示するステップ
からなる方法。
【請求項６】
ネットワーク要素が加入者のユーザ機器の最大ビットレート要求に応答するための方法であって、
要求された最大ビットレート属性値を受け取るステップ、
ネットワーク要素がサポートする最大ビットレート値の最小値が該加入者に関連付けられている最大ビットレート限度以下であるかどうか、およびネットワーク要素がサポートする最大ビットレート値の最小値が該加入者に関連付けられている最大ビットレート限度以下であるかどうかを判別するステップ、
該要求された最大ビットレート属性値および該最大ビットレート限度から一時作業値を判別するステップ、
該一時作業値がネットワーク要素のサポートする値であるか、ネットワーク要素のサポートするすべての値を上回るか、ネットワーク要素のサポートするすべての値を下回るか、それともネットワーク要素のサポートする２つの値の間であるかどうかを判別するステップ、
最低値がネットワーク要素のサポートする値である場合、該最大ビットレート要求に応答して該一時作業値を提示するステップ、
該最低値がネットワーク要素のサポートするすべての値を上回る場合、該最大ビットレート要求に応答してネットワーク要素のサポートする最高値を提示するステップ、
該最低値がネットワーク要素のサポートするすべての値を下回る場合、該最大ビットレート要求に応答してサポートされる最低値を提示するステップ、
該最低値が、ネットワーク要素のサポートする次高の値と次低の値の間であり、ネットワーク要素のサポートする次高の値が最大ビットレート限度以下の場合、該ネットワーク要素のサポートする次高の値を提示するステップ、及び
該一時作業値が、ネットワーク要素のサポートする次高の値と次低の値の間であり、該ネットワーク要素のサポートする次高の値が該最大ビットレート限度よりも大きい場合、該ネットワーク要素のサポートする次低の値を提示するステップ
からなる方法。
【請求項７】
加入者のユーザ機器の最大ビットレート要求に応答するように機能するネットワーク要素であって、
要求された最大ビットレート属性値を受け取る手段、及び
サポートされる最大ビットレート値のセットのサブセットから選択された最大ビットレート値に関連して通信サービスを提供することを提示する手段であって、該サブセットが最大ビットレート限度以下の最大ビットレート値のセットのメンバのみを含み、選択された値が該要求された最大ビットレート値および該最大ビットレート限度のうち低い方の値と以上の該サブセットのメンバの値と等しいか、または該サブセットの中で最高の値を持つ手段
からなるネットワーク要素。
【請求項８】
請求項７のネットワーク要素において、前記最大ビットレート値のセットのサブセットから選択された最大ビットレート値に関連して通信サービスを提供することを提示する手段が、
該要求された該最大ビットレート属性値および該最大ビットレート限度から一時作業値を判別する手段、
該一時作業値がネットワーク要素のサポートする値であるか、ネットワーク要素のサポートするすべての値を上回るか、ネットワーク要素のサポートするすべての値を下回るか、それともネットワーク要素のサポートする２つの値の間であるかどうかを判別する手段、及び
該一時作業値がネットワーク要素のサポートする値である場合、該一時作業値に関連して通信サービスを提供することを提示する手段
からなるネットワーク要素。
【請求項９】
請求項７のネットワーク要素において、前記最大ビットレート値のセットのサブセットから選択された最大ビットレート値に関連して通信サービスを提供することを提示する手段が、
該要求された最大ビットレート属性値および該最大ビットレート限度から一時作業値を判別する手段、
該一時作業値がネットワーク要素のサポートする値であるか、ネットワーク要素のサポートするすべての値を上回るか、ネットワーク要素のサポートするすべての値を下回るか、それともネットワーク要素のサポートする２つの値の間であるかどうかを判別する手段、及び
該一時作業値がネットワーク要素のサポートするすべての値を上回る場合、ネットワーク要素のサポートする最高値に関連して通信サービスを提供することを提示する手段
からなるネットワーク要素。
【請求項１０】
請求項７のネットワーク要素において、前記最大ビットレート値のセットのサブセットから選択された最大ビットレート値に関連して通信サービスを提供することを提示する手段が、
該要求された最大ビットレート属性値および該最大ビットレート限度から一時作業値を  判別する手段、
該一時作業値がネットワーク要素のサポートする値であるか、ネットワーク要素のサポートするすべての値を上回るか、ネットワーク要素のサポートするすべての値を下回るか、それともネットワーク要素のサポートする２つの値の間であるかどうかを判別する手段、及び
該一時作業値がネットワーク要素のサポートするすべての値を下回る場合、サポートされる最低値に関連して通信サービスを提供することを提示する手段
からなるネットワーク要素。
【請求項１１】
請求項７のネットワーク要素において、前記最大ビットレート値のセットのサブセットから選択された最大ビットレート値に関連して通信サービスを提供することを提示する手段が、
該要求された最大ビットレート属性値および該最大ビットレート限度から一時作業値を判別する手段、
該一時作業値がネットワーク要素のサポートする値であるか、ネットワーク要素のサポートするすべての値を上回るか、ネットワーク要素のサポートするすべての値を下回るか、それともネットワーク要素のサポートする２つの値の間であるかどうかを判別する手段、
該一時作業値が、ネットワーク要素のサポートする次高の値と次低の値の間であり、該ネットワーク要素のサポートする次高の値が該最大ビットレート限度以下の場合、該ネットワーク要素のサポートする次高の値に関連して通信サービスを提供することを提示する手段、及び
該一時作業値が、ネットワーク要素のサポートする次高の値と次低の値の間であり、該ネットワーク要素のサポートする次高の値が該最大ビットレート限度よりも大きい場合、該ネットワーク要素のサポートする次低の値に関連して通信サービスを提案する手段
からなるネットワーク要素。